(57)【要約】      （修正有）【課題】画像変調素子を冷却可能であるとともに、従来よりも画質を向上させることが可能な画像表示装置を提供する。【解決手段】画像表示装置は、第１の色光及び第１の色光とは波長が異なる第２の色光を発する光源ユニットと、第１の色光が入射する第１の画像変調素子２１と、第２の色光が入射する第２の画像変調素子２２，２３と、第１及び第２の画像変調素子を冷却する冷却部３０と、第１及び第２の画像変調素子の温度を検出する温度検出部４１Ｇ，４１Ｒ，４１Ｂと、温度検出部による検出結果に基づいて、第１及び第２の画像変調素子間の温度差が所定の温度差以上になるように冷却部を制御する制御部４２と、を備える。【選択図】図１
2018128615.tif 000002
【特許請求の範囲】
【請求項１】
第１の色光及び前記第１の色光とは波長が異なる第２の色光を発する光源ユニットと、
前記第１の色光が入射する第１の画像変調素子と、
前記第２の色光が入射する第２の画像変調素子と、
前記第１及び第２の画像変調素子を冷却する冷却部と、
前記第１及び第２の画像変調素子の温度を検出する温度検出部と、
前記温度検出部による検出結果に基づいて、前記第１及び第２の画像変調素子の間の温度差が所定の温度差以上になるように前記冷却部を制御する制御部と、を備える、
ことを特徴とする画像表示装置。
【請求項２】
前記第１の色光の波長は前記第２の色光の波長よりも短く、
前記制御部は、前記第１の画像変調素子の温度が前記第２の画像変調素子の温度よりも高くなるように前記冷却部を制御する、
ことを特徴とする請求項１に記載の画像表示装置。
【請求項３】
前記第１の色光は緑色光であって、
前記第２の色光は赤色光である、
ことを特徴とする請求項２に記載の画像表示装置。
【請求項４】
前記第１及び第２の画像変調素子の間の温度差をＴ１−２とするとき、
２＜Ｔ１−２＜１０
を満足するように前記制御部は前記冷却部を制御する、
ことを特徴とする請求項２または３に記載の画像表示装置。
【請求項５】
前記第１の色光よりも波長が短い第３の色光としての青色光が入射する第３の画像変調素子をさらに備え、
前記光源ユニットは前記第３の色光を発することが可能であり、
前記冷却部は前記第３の画像変調素子を冷却可能であり、
前記温度検出部は前記第３の画像変調素子の温度を検出可能であり、
前記制御部は、前記温度検出部による検出結果に基づいて、前記第１の画像変調素子、前記第３の画像変調素子、前記第２の画像変調素子の順に温度が高くなるように、前記冷却部を制御する、
ことを特徴とする請求項３または４に記載の画像表示装置。
【請求項６】
前記制御部は、前記光源ユニットが点灯してから所定時間経過するまでは、前記温度検出部による検出結果に基づく前記第１及び第２の画像変調素子の間の温度差が所定の温度差以上になるような前記冷却部の制御を行わず、前記所定時間が経過した後に前記制御を行う、
ことを特徴とする請求項１乃至５のいずれか１項に記載の画像表示装置。
【請求項７】
前記制御部は、前記第１及び第２の画像変調素子の間の温度差が所定値を超えるまでは、前記温度検出部による検出結果に基づく前記第１及び第２の画像変調素子の間の温度差が所定の温度差以上になるような前記冷却部の制御を行わず、前記第１及び第２の画像変調素子の間の温度差が前記所定値を超えると前記制御を行う、
ことを特徴とする請求項１乃至６のいずれか１項に記載の画像表示装置。
【請求項８】
前記冷却部は、前記第１の画像変調素子を冷却するための第１の冷却部と、前記第２の画像変調素子を冷却するための第２の冷却部と、前記第３の画像変調素子を冷却するための第３の冷却部と、を有し、
前記制御部は、前記第１の冷却部と、前記第２の冷却部と、前記第３の冷却部の冷却能力を制御する、
ことを特徴とする請求項５乃至７のいずれか１項に記載の画像表示装置。
【請求項９】
前記第１の冷却部は第１の冷却ファンであり、前記第２の冷却部は第２の冷却ファンであり、前記第３の冷却部は第３の冷却ファンであって、
前記制御部は、前記第１の冷却ファンと、前記第２の冷却ファンと、前記第３の冷却ファンの回転数を制御する、
ことを特徴とする請求項８に記載の画像表示装置。
【請求項１０】
前記光源ユニットは、
励起光源ユニットと、
前記励起光源ユニットからの励起光の一部を前記励起光とは波長が異なる蛍光光に変換するとともに、前記蛍光光と前記励起光と波長が同じ非変換光を発する蛍光体ユニットと、を備える、
ことを特徴とする請求項１乃至９のいずれか１項に記載の画像表示装置。
【請求項１１】
前記励起光源ユニットは青色光を発する固体光源を含み、
前記蛍光体ユニットは、緑色光及び赤色光を発する黄色蛍光体を含む、
ことを特徴とする請求項１０に記載の画像表示装置。
【請求項１２】
請求項１乃至１１のいずれか１項に記載の画像表示装置と、
前記画像表示装置からの光が投射される被投射面と、
前記画像表示装置を制御するための制御装置と、を備える、
ことを特徴とする画像表示システム。
【発明の詳細な説明】
【技術分野】
【０００１】
本発明は、画像表示装置及びこれを用いた画像表示システムに関し、特に複数の画像変調素子を用いて投射を行う画像表示装置及びこれを用いた画像表示システムに関するものである。
【背景技術】
【０００２】
プロジェクターなどの画像表示装置に画像変調素子として使用される液晶パネルは、高温になりすぎたり低温になりすぎたりすると、寿命が低下したり、反射率あるいは透過率特性が変化したりしてしまうおそれがある。このため、プロジェクターを稼働させる際には液晶パネルの温度を所定の範囲内に入るように維持する必要がある。
【０００３】
このような課題を解決するプロジェクターとして、特許文献１に記載のプロジェクターが知られている。特許文献１に記載のプロジェクターは、液晶パネル用の冷却装置と加熱装置と、液晶パネルの温度が所定の範囲内に入るように冷却装置及び加熱装置を制御する制御装置を備えている。
【先行技術文献】
【特許文献】
【０００４】
【特許文献１】特開２０１４−１７４５１５号公報
【発明の概要】
【発明が解決しようとする課題】
【０００５】
ここで、複数の液晶パネルを用いたプロジェクターの製造工程において、色味や色バランスといった画質を向上させるために、複数の液晶パネルを照明した状態で各液晶パネルの付近に配置される偏光板や波長板といった光学素子の配置や角度を調整する。この際に、第１の液晶パネルに入射する第１の色光のパワーと第２の液晶パネルに入射する第２の色光のパワーの違いによって、第１及び第２の液晶パネル間で温度差が生じる。このため、プロジェクターを稼働させる際には、第１及び第２の液晶パネル間の温度差を前述の調整を行った際のものに近付けることが好ましい。
【０００６】
このような知見に対して、特許文献１には液晶パネルの温度を所定の範囲内に入るようにすることが可能な構成は開示されているものの、第１及び第２の液晶パネル間の温度差に関して開示も示唆もされていない。
【０００７】
そこで、本発明は、画像変調素子を冷却可能であるとともに、従来よりも画質を向上させることが可能な画像表示装置及びこれを用いた画像表示システムを提供することを目的とする。
【課題を解決するための手段】
【０００８】
上記目的を達成するために、本発明の画像表示装置は、
第１の色光及び前記第１の色光とは波長が異なる第２の色光を発する光源ユニットと、
前記第１の色光が入射する第１の画像変調素子と、
前記第２の色光が入射する第２の画像変調素子と、
前記第１及び第２の画像変調素子を冷却する冷却部と、
前記第１及び第２の画像変調素子の温度を検出する温度検出部と、
前記温度検出部による検出結果に基づいて、前記第１及び第２の画像変調素子間の温度差が所定の温度差以上になるように前記冷却部を制御する制御部と、を備える、
ことを特徴とする。
【発明の効果】
【０００９】
本発明によれば、画像変調素子を冷却可能であるとともに、従来よりも画質を向上させることが可能な画像表示装置及びこれを用いた画像表示システムを提供することができる。
【図面の簡単な説明】
【００１０】
【図１】第１及び第２実施例に係る画像変調部１０の説明図
【図２】第１実施例に係る冷却ファン３２Ｇの制御フローチャート図
【図３】第１実施例に係る冷却ファン３２Ｒ、３２Ｂの制御フローチャート図
【図４】第２実施例に係る冷却ファン３２Ｇの制御フローチャート図
【図５】第２実施例に係る冷却ファン３２Ｒ、３２Ｂの制御フローチャート図
【図６】各実施例に係る画像表示装置の構成図
【図７】各実施例に係る画像表示システムの構成図
【発明を実施するための形態】
【００１１】
（実施例１）
（画像表示装置の構成）
まず、図６を用いて本発明の各実施例でいう画像表示装置の全体構成について説明する。図６に示すプロジェクター（画像表示装置）１は、光源ユニット５０、照明光学系４０、画像表示部１０、投射レンズ（投射光学系）を備えることで、スクリーンＳＣに画像表示部１０によって形成された画像を投射して表示することができる。
【００１２】
より詳細には、光源ユニット５０は、励起光源ユニット５１と、励起光源ユニット５１からの光を後述の蛍光体ユニット５６に導くとともに、蛍光体ユニット５６からの光を照明光学系４０に導くためのダイクロイックミラー５２を備えている。ダイクロイックミラー５２と蛍光体ユニット５６との間には集光光学系５３が設けられている。
【００１３】
蛍光体ユニット５６は中心軸を中心として回転可能な円板５５と円板５５上に円環状に設けられた蛍光体５４とを備えている。励起光源ユニット５１は単数あるいは複数の青色レーザーダイオードを備えている、蛍光体５４は緑色光と赤色光を発することのできる黄色蛍光体である。より詳細には、蛍光体ユニット５６は、励起光源ユニット５１からの励起光の一部を励起光とは波長が異なる蛍光光に変換するとともに、蛍光光と、励起光と波長が同じ非変換光を発する。なお、励起光源ユニット５１は固体光源としての青色レーザーダイオードを単数あるいは複数備える。拡散部材としての蛍光体５４の代わりに拡散部材としての拡散層を設けた構成でもよく、この構成の場合には、励起光源ユニット５１はＲＧＢの各色光を発するレーザーダイオードやＬＥＤなどの固体光源を備えていれがよい。
【００１４】
照明光学系４０は、光源ユニット５０からの光を用いて後述の第１〜第３の画像変調素子を均一に照明するための第１及び第２のフライアイレンズとコンデンサーレンズと、偏光変換素子とを備えている。画像表示部１０の構成は後述の通りである。投射レンズ３０はプロジェクター１に対して着脱可能である。
【００１５】
（本実施例における画像変調部の構成）
以下、図１、図２及び図３を参照して実施例１としての画像表示装置１に搭載可能な画像変調部１０について説明する。
【００１６】
図１に示すように、画像変調部１０は色分離合成光学系２０、第１の基準パネル２１（第１の画像変調素子）、第２のパネル２２（第２の画像変調素子）、第３のパネル２３（第３の画像変調素子）を備える。なお、本実施例において各パネルは反射型液晶パネルであるが、後述の冷却に関する制御フローを、透過型液晶パネルを用いた画像表示装置に適用してもよい。光源ユニット５０から出射された照明光２４は色分離合成光学系２０に入射すると第１の色光２５Ｇ、第２の色光２５Ｒ、第３の色光２５Ｂに分離され、第１の基準パネル２１、第２のパネル２２、第３のパネル２３にそれぞれ入射する。
【００１７】
それぞれのパネルにて画像表示装置１に入力される映像信号に応じて変調して反射された色光２５Ｇ、２５Ｒ、２５Ｂは再び色分離合成光学系２０に入射し合成され、投射光２６となり投射レンズ３０から画像変調装置１より出射される。
【００１８】
ここで、第１の基準パネル２１に照射される色光２５Ｇは緑色光（第１の色光）、第２のパネルに照射される色光２５Ｒは赤色光（第２の色光）、第３のパネルに照射される色光２５Ｂは青色光（第３の色光）である。
【００１９】
複数の色光がそれぞれのパネルに対して照射されると、パネルが持つ反射率によって反射される成分以外が持つ光エネルギーによりパネルが発熱するため、画像表示装置１はパネルを冷却するためのパネル冷却部３０（冷却部）、冷却制御部４０を備える。
【００２０】
パネル冷却部３０は第１の基準パネル２１、第２のパネル２２、第３のパネル２３それぞれに対して画像変調装置の吸気口より冷却風を導くための冷却ダクト３１Ｇ、３１Ｒ、３１Ｂを備える。パネル冷却部３０はさらに冷却風をパネルへと送風するための第１の冷却ファン３２Ｇ（第１の冷却部）、第２の冷却ファン３２Ｒ（第２の冷却部）、第３の冷却ファン３２Ｂ（第３の冷却部）を備える。
【００２１】
冷却制御部４０は、それぞれのパネルが色光によって発熱する自身の温度を検出可能な温度検出手段４１Ｇ、４１Ｒ、４１Ｂ（温度検出部）を備えている。さらに、それぞれのパネルを冷却する冷却ファン３２Ｇ、３２Ｒ、３２Ｂの出力を調整するファン出力調整部４２（制御部）を備える。具体的には、ファン出力調整部４２は第１〜第３の冷却ファンの回転数を制御する。つまり、ファン出力調整部４２は第１〜第３の冷却ファンの冷却能力を制御する。
【００２２】
ファン出力調整部４２による冷却ファン３２Ｇ、３２Ｒ、３２Ｂの出力の制御にはフィードバック制御が適用される。各パネルに対して最適な色味で投射を行うために必要なパネルの温度が目標温度として設定される。第１の基準パネル２１には目標温度４３Ｇ、第２のパネル２２と第３のパネル２３には第１の基準パネル２１とそれぞれのパネルとの目標温度差４３Ｒ、４３Ｂが設定される。
【００２３】
第１の基準パネル２１を冷却する冷却ファン３２Ｇの出力は以下のように算出される。すなわち、第１の基準パネル２１の目標温度４３Ｇを維持するために必要な出力に対して、目標温度４３Ｇと温度検出手段４１Ｇによって検出される温度との温度差によって調整される出力を考慮して算出される。
【００２４】
第２のパネル２２及び第３のパネル２３を冷却する冷却ファン３２Ｒ、３２Ｂの出力は以下のように算出される。すなわち、第１の基準パネル２１との温度差４３Ｒ、４３Ｂを維持するために必要な出力に対して、それぞれの温度検出手段４１Ｇ、４１Ｒ、４１Ｂによって検出される温度の温度差を算出する。そして、それぞれの目標温度差４３Ｒ、４３Ｂとの差分によって調整される出力を考慮して算出される。
【００２５】
（本実施例によって得られる効果）
つまり、本実施例においては、ファン出力調整部４２は、温度検出手段４１Ｇ、４１Ｒ、４１Ｂによる各パネルの温度検出結果に基づいて、第２のパネル２２及び第１の基準パネル２１間の温度差が所定の温度差以上になるようにパネル冷却部３０を制御する。このような制御を行うことで、前述のように、画像表示装置１を使用している際の第２のパネル２２及び第１の基準パネル２１間の温度差を、偏光板や波長板といった光学素子の配置や角度を調整した際の温度差に近付けることができる。なお、ここでいう所定の温度差以上とは第２のパネル２２及び第１の基準パネル２１間の温度差が０℃よりも大きいことを意味する。
【００２６】
言い換えれば、光学素子の配置あるいは角度調整時の第２のパネル２２及び第１の基準パネル２１間の温度の大小関係を、画像表示装置１を使用している際にも維持することができる。その結果、画像変調素子を冷却可能であるとともに、従来よりも画質を向上させることが可能な画像表示装置を実現することができる。
【００２７】
（より好ましい形態）
次に、図２及び図３を用いて、本実施例のより好ましい形態としての制御フローについて説明する。図２は第１の基準パネル２１を冷却する冷却ファン３２Ｇの制御フローチャート図、図３は第２のパネル２２もしくは第３のパネル２３を冷却する冷却ファン３２Ｒ、３２Ｂの制御フローチャート図を図示している。
【００２８】
まず、図２の第１の基準パネル２１の冷却ファン３２Ｇの制御フローチャートについて説明する。
【００２９】
画像表示装置１が起動し光源の点灯した直後は、冷却ファン３２Ｇはあらかじめ設定された初期ファン出力にて第１の基準パネル２１の冷却を行う。点灯開始後、光源の出力と冷却ファン３２Ｇの初期出力を考慮して設定された時間Ｔが経過した後には、以下の制御を行う。すなわち、以下の両者の差分に応じて出力を調整するフィードバック制御にて冷却ファン３２Ｇは制御される。一方は第１の基準パネル２１の目標温度４３Ｇを維持するために必要な出力である。他方は、第１の基準パネル２１の目標温度４３Ｇと温度検出手段４１Ｇにより検出される現在の温度である。冷却ファン３２Ｒ、３２Ｂに対する出力のフィードバック制御は画像表示装置１に消灯の指示があるまで継続して続けられる。
【００３０】
次に、図３の第２のパネル２２及び第３の冷却パネル２３の冷却ファン３２Ｒ、３２Ｂの制御フローチャートについて説明する。
【００３１】
画像表示装置１が起動し光源の点灯した直後は冷却ファン３２Ｒ、３２Ｂはあらかじめ設定された初期ファン出力にて第２のパネル２２、第３のパネル２３の冷却を行う。
【００３２】
光源の出力と冷却ファン３２Ｒ、３２Ｂの初期出力を考慮して設定された時間Ｓが経過した後には以下の制御を行う。すなわち、以下の２つの差分に応じて出力を調整するフィードバック制御にて冷却ファン３２Ｒ、３２Ｂは制御される。この差分の基の一方は第１の基準パネル２１と第２のパネル２２及び第３のパネル２３の目標温度差４３Ｒ、４３Ｂを維持するために必要な出力である。他方は、目標温度差４３Ｒ、４３Ｂとそれぞれのパネルの温度を検出する温度検出手段４１Ｇ、４１Ｒ、４１Ｂより検出される現在の温度により算出される温度差である。冷却ファン３２Ｒ、３２Ｂに対する出力のフィードバック制御は画像表示装置１に消灯の指示があるまで継続して続けられる。
【００３３】
つまり、本実施例においては、ファン出力調整部４２は、光源ユニット５０が点灯してから所定時間経過するまでは、温度検出手段４１Ｇ、４１Ｒ、４１Ｂ温度検出部による検出結果に基づく前述の制御を行わない。そして、所定時間経過後に前述の制御を行う。仮に光源ユニット５０の点灯直後に前述の制御を行おうとする場合を考える。この場合、点灯直後は第１の基準パネル２１の温度と第２のパネル２２が同じであるために、第２のパネル２２の温度を急激に下げようとして第２の冷却ファン３２Ｒの回転数を急激に上がってしまって騒音が生じてしまうおそれがある。このため、前述の図２に示す制御を行うことで前述の騒音の発生を抑制することができる。
【００３４】
（実施例２）
（本実施例における制御フロー）
次に、図４及び図５を用いて実施例２における制御フローについて説明する。図４は第１の基準パネル２１を冷却する冷却ファン３２Ｇの制御フローチャート図、図５は第２のパネル２２もしくは第３のパネル２３を冷却する冷却ファン３２Ｒ、３２Ｂの制御フローチャート図を図示している。
【００３５】
まず、図４の第１の基準パネル２１の冷却ファン３２Ｇの制御フローチャートについて説明する。
【００３６】
画像表示装置１が起動し光源の点灯した直後は、冷却ファン３２Ｇはあらかじめ設定された初期ファン出力にて第１の基準パネル２１の冷却を行う。
【００３７】
点灯開始後、温度検出手段４１Ｇによって検出される第１の基準パネル２１の温度Ｃが、第１の基準パネル２１の目標温度４３Ｇと冷却ファン３２Ｇのフィードバック制御の出力ゲインを考慮した温度Ｖ以上となったとする。この後は、以下の差分に基づいて。この差分の基の一方は、第１の基準パネル２１の目標温度４３Ｇを維持するために必要な出力である。他方は、第１の基準パネル２１の目標温度４３Ｇと温度検出手段４１Ｇにより検出される現在の温度Ｃである。両者の差分に応じて出力を調整するフィードバック制御にて冷却ファン３２Ｇは制御される。
【００３８】
冷却ファン３２Ｒ、３２Ｂに対する出力のフィードバック制御は画像表示装置１に消灯の指示があるまで継続して続けられる。
【００３９】
次に、図５の第２のパネル２２及び第３の冷却パネル２３の冷却ファン３２Ｒ、３２Ｂの制御フローチャートについて説明する。
【００４０】
画像表示装置１が起動し光源の点灯した直後は冷却ファン３２Ｒ、３２Ｂはあらかじめ設定された初期ファン出力にて第２のパネル２２、第３のパネル２３の冷却を行う。
【００４１】
光源の出力と冷却ファン３２Ｒ、３２Ｂの初期出力を考慮して設定された時間が経過したとする。この後には、以下の両者の差分に応じて出力を調整するフィードバック制御にて冷却ファン３２Ｒ、３２Ｂは制御される。一方は第１の基準パネル２１と第２のパネル２２及び第３のパネル２３の目標温度差４３Ｒ、４３Ｂを維持するために必要な出力である。他方は目標温度差４３Ｒ、４３Ｂとそれぞれのパネルの温度を検出する温度検出手段４１Ｇ、４１Ｒ、４１Ｂより検出される現在の温度により算出される温度差である。
【００４２】
冷却ファン３２Ｒ、３２Ｂに対する出力のフィードバック制御は画像表示装置１に消灯の指示があるまで継続して続けられる。
【００４３】
（本実施例によって得られる効果）
本実施例の制御フローによれば、光源の点灯開始から一定時間が経過するまでは規定の出力で冷却ファンを駆動する。このため、点灯開始直後のパネル温度が目標温度と乖離した状態でも冷却ファンの出力が著しく高くなることが無いため、画像表示装置の点灯時に発生する騒音を抑制することが可能となる。これは前述の実施例２も同様である。
【００４４】
また、本実施例においては、光源の点灯開始から基準パネルの温度及び基準パネルと各パネルの温度差が冷却ファンをフィードバック制御で駆動しても騒音を発生しない温度に到達するまで規定の出力で冷却ファンを駆動する。このため、環境温度によらずに点灯時の騒音とパネルの温度上昇を抑制可能となる。
【００４５】
つまり、本実施例においては、ファン出力調整部４２は、第１の基準パネル２１の温度と第２のパネル２２間の温度差が所定値を超えるまでは、前述の制御を行わない。そして、第１の基準パネル２１の温度と第２のパネル２２間の温度差が所定値を超えると前述の制御を行う。
【００４６】
（変形例）
以上、本発明の好ましい実施形態について説明したが、本発明はこれらの実施形態に限定されず、その要旨の範囲内で種々の変形及び変更が可能である。
【００４７】
例えば、本実施例においては冷却ファンの制御を初期ファン出力からフィードバック制御に変更する閾値として画像表示装置の点灯開始後からの時間か、各パネルの温度のどちらかだけであったが、２つの閾値を併用しても良い。または、環境温度など別の事象を閾値として設定しても良い。
【００４８】
なお、第１の基準パネル２１の温度と第２のパネル２２の間の温度差をＴ１−２［℃］とするとき、
２＜Ｔ１−２＜１０      （１）
あるいは、
４＜Ｔ１−２＜８      （１ａ）
を満足するようにファン出力調整部４２はパネル冷却部３０を制御する構成であってもよい。同様に、第１の基準パネル２１の温度と第３のパネル２３の間の温度差をＴ１−３［℃］とするとき、
２＜Ｔ１−３＜８      （２）
あるいは、
４＜Ｔ１−３＜６      （２ａ）
を満足するようにファン出力調整部４２はパネル冷却部３０を制御する構成であってもよい。
【００４９】
また、ファン出力調整部４２は、温度検出部による検出結果に基づいて、第１の画像変調素子、第３の画像変調素子、第２の画像変調素子の順に温度が高くなるように、冷却部を制御することが好ましい。色光でいうと、緑色光、青色光、赤色光の順番に温度が高い状態を維持するようにフィードバック制御を制御部が行うことが好ましい。
【００５０】
なお、前述の各実施例に示す制御フローは図６に示す画像表示装置以外にも、図７に示す画像表示システムにも適用可能である。図７に示す画像表示システムにおいて、Ｓは被投射面としてのスクリーンであり、ＰＪ１〜ＰＪ３はプロジェクターであり、Ｃは各プロジェクターを制御するための制御装置である。ＰＪ１〜ＰＪ３の全てあるいは何れかに前述の各実施例に記載の制御フローを適用してもよい。なお、図７に示すが画像表示システムにおいてプロジェクターは複数あるが、プロジェクターは１つでもよい。
【符号の説明】
【００５１】
１  プロジェクター（画像表示装置）
１０  画像変調部
２０  色分離合成光学系
２１  第１の基準パネル（第１の画像変調素子）
２２  第２のパネル（第２の画像変調素子）
２３  第３のパネル（第３の画像変調素子）
２４  照明光
２５Ｇ  緑色光（第１の色光）
２５Ｒ  赤色光（第２の色光）
２５Ｂ  青色光（第３の色光）
２６  投射光
３０  パネル冷却部（冷却部）
３１Ｇ、３１Ｒ、３１Ｂ  冷却ダクト
３２Ｇ、３２Ｒ、３２Ｂ  冷却ファン
４０  冷却制御部
４１Ｇ、４１Ｒ、４１Ｂ  温度検出手段（温度検出部）
４２  ファン出力制御部（制御部）
４３Ｇ  第１の基準パネルの目標温度
４３Ｒ、４３Ｂ  第１の基準パネルと、第２、第３のパネルとの目標温度差
５０  光源ユニット
【図１】
2018128615.tif 000003
【図２】
2018128615.tif 000004
【図３】
2018128615.tif 000005
【図４】
2018128615.tif 000006
【図５】
2018128615.tif 000007
【図６】
2018128615.tif 000008
【図７】
2018128615.tif 000009